(57)【特許請求の範囲】
【請求項１】
シートの縦方向に沿ってシート幅中央から一方の側辺側に寄った位置を通る分離部を境にして、その境から一方側である短辺側に、中央にシート幅方向に沿った折り部を有する貼着シート部を備えるとともに、境から他方側である長辺側に、中央にシート幅方向に沿った折り部を有する葉書本体シート部を備え、前記分離部から貼着シート部と葉書本体シート部とを分離しそれぞれの折り部が重なるように重ね合わせてから、前記貼着シート部が外方となり葉書本体シート部が内方となるように前記折り部から折り合わせする切り折り可能なシートであって、
前記切り折り時に外面となる貼着シート部の折り部から一方の半面には、宛名情報表示部が設けられるとともに、他方の半面には、固定情報などの通知情報表示部が設けられ、
前記切り折り時に貼着シート部と葉書本体シート部とが相対してなる重ね合わせ面それぞれに、通常では接着することなく圧、熱などの接着条件を付与することにより剥離可能に接着する接着剤が塗布され、かつ、その重ね合わせ面の少なくとも一つの重ね合わせ面に隠蔽情報記載部が設けられ、
葉書本体シート部の何れか一方の側辺側であって、前記切り折り時に宛名情報表示部を有する貼着シート部の側辺側に表出する表出面に葉書表示が設けられ、前記切り折り時に内方となる葉書本体シート部同士の重ね合わせ面それぞれと、貼着シート部と葉書本体シート部と折り部側において相対する重ね合わせ面それぞれに、通常では接着することなく圧、熱などの接着条件を付与することにより剥離困難に接着する接着剤が塗布されていることを特徴とする重ね合わせ葉書用シート。
【発明の詳細な説明】
【０００１】
【発明の属する技術分野】
本発明は親展性を備えた葉書を得ることのできる重ね合わせ葉書用シートに関するものである。
【０００２】
【発明が解決しようとする課題】
従来、葉書で情報を通知する際に他人が視読できないように親展性を付与して通知する方法として、葉書に隠蔽ラベルを剥離可能に貼付したり、葉書本体シートに一つの貼着シートを連接しこれを二つ折りして剥離可能に接着したりすることが行われていた。そして、近年の郵便法の下、封書より低額料金で送れる葉書を更に有効利用するため、定形葉書の形態規定や重量規定に則しながら通知面積の更なる拡大を図るべく、二つの貼着シートと葉書本体シートとを連接してその葉書本体シートの表裏を隠蔽する方法が採られるようになった。
【０００３】
しかしながら、上述した複数の紙片からなる隠蔽機能を有する重ね合わせ葉書は、その複数枚の紙片が横一連に連接された横長のシートからなるものであって、このように一方向に長いシートに対して情報印字を行う場合、規格サイズの単票用紙への印字処理に優れた電子写真方式のプリンタ、インクジェットプリンタなどのノンインパクトプリンタ、特にパーソナルコンピュータに接続して使用されている汎用のページプリンタなどを用いることができず、その横長の重ね合わせ葉書用シートを複数連接した状態で専用のプリンタに供給するようにしたり、また、その連接形態の用紙をインパクトプリンタに供給したりして印字処理を行っているのが現状であった。
そこで、本発明は上記事情に鑑み、重ね合わせ葉書用シートを汎用性の高い規格サイズのシート形態にすることを課題とし、情報印字処理が通常のノンインパクトプリンタなどを用いて効率よく行えるようにすることを目的とする。
【０００４】
【課題を解決するための手段】
本発明は上記課題を考慮してなされたもので、シートの縦方向に沿ってシート幅中央から一方の側辺側に寄った位置を通る分離部を境にして、その境から一方側である短辺側に、中央にシート幅方向に沿った折り部を有する貼着シート部を備えるとともに、境から他方側である長辺側に、中央にシート幅方向に沿った折り部を有する葉書本体シート部を備え、前記分離部から貼着シート部と葉書本体シート部とを分離しそれぞれの折り部が重なるように重ね合わせてから、前記貼着シート部が外方となり葉書本体シート部が内方となるように前記折り部から折り合わせする切り折り可能なシートであって、前記切り折り時に外面となる貼着シート部の折り部から一方の半面には、宛名情報表示部が設けられるとともに、他方の半面には、固定情報などの通知情報表示部が設けられ、前記切り折り時に貼着シート部と葉書本体シート部とが相対してなる重ね合わせ面それぞれに、通常では接着することなく圧、熱などの接着条件を付与することにより剥離可能に接着する接着剤が塗布され、かつ、その重ね合わせ面の少なくとも一つの重ね合わせ面に隠蔽情報記載部が設けられ、葉書本体シート部の何れか一方の側辺側であって、前記切り折り時に宛名情報表示部を有する貼着シート部の側辺側に表出する表出面に葉書表示が設けられ、前記切り折り時に内方となる葉書本体シート部同士の重ね合わせ面それぞれと、貼着シート部と葉書本体シート部と折り部側において相対する重ね合わせ面それぞれに、通常では接着することなく圧、熱などの接着条件を付与することにより剥離困難に接着する接着剤が塗布されていることを特徴とする重ね合わせ葉書用シートを提供して、上記課題を解消するものである。
【０００５】
【発明の実施の形態】
つぎに本発明を図１から図３に示す実施の形態に基づいて詳細に説明する。
図中１は重ね合わせ葉書用シートで、該重ね合わせ葉書用シート１はＡ４判サイズのシートであり、直交する折りや分割のための線部によって紙面が四方にそれぞれが矩形となる状態で分割されている。まず、この重ね合わせ葉書用シート１にあっては、シート１の縦方向に沿ってシート幅中央から一方の側辺側に寄った位置を通る分離部２を有している。この分離部２を境にして、シート上辺側が短辺側と長辺側とに分かれ、前記一方側である短辺側を貼着シート部３とし、長辺側を葉書本体シート部４として備えており（図において貼着シート部幅Ａ＜葉書本体シート部幅Ｂとしている）、前記貼着シート部３は、中央にシート幅方向に沿った折り部５を有してシート縦方向に二分されるものであり、長辺側の前記葉書本体シート部４では、中央においてシート幅方向に沿ようにして折り部６を有し、この第二折り部６によって葉書本体シート部４がシート縦方向に二分される。このように、重ね合わせ葉書用シート１ではシート縦方向に分離部２を有しシート幅方向に連続する折り部５，６を有していることから、この直交する分離部２と折り部５，６とによって上述したようにシート１が四面にそれぞれ矩形にいて区分されている。そして、前記分離部５は前記貼着シート部３と葉書本体シート部４とを切り離す部分であって、切断、或は予め設けられていた切取り用ミシン目から分断するようにする箇所であって、この分離部２から貼着シート部３と葉書本体シート部４とを分離し、前記折り部５，６が一致するようにして、かつ、各シート部３，４の側辺を揃えるようにして重ね合わせてから、貼着シート部３が外方となり葉書本体シート部４が内方となるようにして折り部５，６から折り合わせする切り折り可能なシートとしてこの重ね合わせ葉書用シート１が構成されている。
【０００６】
上記貼着シート部３は、上記切り折りを行って重ね合わせ葉書を得たときに葉書表面と葉書裏面となる部分であり、前記貼着シート部３の折り部５から一方の半面３０は宛名情報表示部７を有しており、折り部５側に沿った位置の貼着部３０ａとその貼着部３０ａに折り罫３０ｂを介して剥離面部３０ｃとにその半面３０を区分し、剥離面部３０ｃ側に前記宛名情報表示部７が位置するようにしている。前記貼着面部３０ａは貼着シート部３と葉書本体シート部４とを通常では接着することなく圧、熱などの接着条件を付与することにより剥離困難に接着する接着剤によって剥離困難な接着により連結する部分であり、後述するようにこの折り部側で両シート部が綴じ合わされた状態となることで、見開きされた重ね合わせ葉書が冊子状となるようにしている。貼着シート部３での他方の半面３１には、固定情報などの通知情報表示部８が設ける。
また、図１（ロ）に示すように、上記切り折り時に貼着シート部３と葉書本体シート部４とが相対し、上記貼着面部３０ａと葉書本体シート側において対応する部分とを除く重ね合わせ面３２（貼着シート部）、４０（葉書本体シート部）それぞれには、通常では接着することなく圧、熱などの接着条件を付与することにより剥離可能に接着する接着剤９が塗布されいて、切り折りした後に例えば接着条件を付与することで得られた重ね合わせた葉書にあっては、その接着剤９が塗布された重ね合わせ面の間を引き離すことができる。また、前記重ね合わせ面３２，４０には隠蔽情報記載部１０が設けられおり、上述したように、貼着シール部３と葉書本体シート部４とが剥離可能に貼り合わされているため、両者の間を剥離させない限りその隠蔽情報記載部４０に記載された隠蔽情報を見ることができないように設けられている。
【０００７】
一方、上記葉書本体シート部４は切り折りにより折り合わされたこの葉書本体シート部自体が強固に接着されることで葉書本体を構成するようにしたものである。そして、上述したように分離部２がシート１の一方の側辺側に寄った位置にあることで、即ち、貼着シート部の幅寸法を葉書本体シート部４の幅寸法より小としていることで、貼着シート部３と葉書本体シート部４とをその分離部２から分離し上記折り部５，６を一致させ、各シート部の一方の側辺を揃えながら重ね合わせ、折り部から折り合わせたときに、シート１における葉書本体シート部４の側辺側が葉書形態時の貼着シート部側辺側から張り出るようにしている。そして、切り折り時の宛名情報表示部を有する上記一方の半面３０の側辺側に張り出て表出する面を表出面１１として備え、この表出面１１に葉書表示１２が設けられている。
さらに、この葉書本体シート部４にあっては、切り折り時に内方で相対する葉書本体シート部同士の重ね合わせ面４１それぞれに、通常では接着することなく圧、熱などの接着条件を付与することにより剥離困難に接着する接着剤１３が塗布されている。このように前記重ね合わせ面４１それぞれに接着剤１３が塗布されているため、シート１を四つ折りした後に接着条件を付与することで、二つ折り状態の葉書本体シート部が互いに強固に接着し合い、そして、上述したように表出面１１に葉書表示１２を有することで、所要の規定を満足させる葉書本体を構成するものであり、この重ね合わせ葉書用シート１を分離部２から切断分離した後、折り部５，６を重ねるようにしてから折り合わせて、所要の接着条件を付与することで重ね合わせ葉書１４が得られる。
そして、上記貼着シート部３における貼着面部３０ａとこの貼着面部３０ａに対応する葉書本体シート４の折り部６側の辺部とにおいて相対する重ね合わせ面３３，４２それぞれにおいても、上記接着剤１３が塗布されており、接着条件が付与されることで、この部分、即ち、折り部５，６側において貼着シート部３と葉書本体シート部４とが綴じ合わされるようにしている。なお、前記貼着面部は貼着シート部３での他方の半面側においても設けるようにしてもよい。
【０００８】
上記重ね合わせ葉書１４で隠蔽情報を確認する場合には、貼着シート部３の半面３０，３１を葉書本体（葉書本体シート部４）から引き開くようにすれば、隠蔽情報記載部に記載された情報を確認することができ、折り部５，６側で貼着シート部３と葉書本体シート部４とが綴じ合わされているため、冊子状に見開きできる。なお、この実施の例では重ね合わせ面３２，４０それぞれに隠蔽情報記載部１０を設けているものとしたが、本発明はこの実施の例に限定されるものではなく、一つの重ね合わせ面に隠蔽情報を設けるようにしてもよい。
【０００９】
【発明の効果】
以上説明したように、本発明の重ね合わせ葉書用シートは、シートの縦方向に沿ってシート幅中央から一方の側辺側に寄った位置を通る分離部を境にして、その境から一方側である短辺側に、中央にシート幅方向に沿った折り部を有する貼着シート部を備えるとともに、境から他方側である長辺側に、中央にシート幅方向に沿った折り部を有する葉書本体シート部を備え、前記分離部から貼着シート部と葉書本体シート部とを分離しそれぞれの折り部が重なるように重ね合わせてから、前記貼着シート部が外方となり葉書本体シート部が内方となるように前記折り部から折り合わせする切り折り可能なシートであって、前記切り折り時に外面となる貼着シート部の折り部から一方の半面には、宛名情報表示部が設けられるとともに、他方の半面には、固定情報などの通知情報表示部が設けられ、前記切り折り時に貼着シート部と葉書本体シート部とが相対してなる重ね合わせ面それぞれに、通常では接着することなく圧、熱などの接着条件を付与することにより剥離可能に接着する接着剤が塗布され、かつ、その重ね合わせ面の少なくとも一つの重ね合わせ面に隠蔽情報記載部が設けられ、葉書本体シート部の何れか一方の側辺側であって、前記切り折り時に宛名情報表示部を有する貼着シート部の側辺側に表出する表出面に葉書表示が設けられ、前記切り折り時に内方となる葉書本体シート部同士の重ね合わせ面それぞれと、貼着シート部と葉書本体シート部と折り部側において相対する重ね合わせ面それぞれに、通常では接着することなく圧、熱などの接着条件を付与することにより剥離困難に接着する接着剤が塗布されていることを特徴とするものである。
このように四方に区分された紙面を宛名情報表示部分としたり固定情報や隠蔽情報などからなる通知情報表示部分とし、また、剥離可能に貼り合わせて見開きできる部分を得る接着剤を塗布するとともに、剥離困難に接着して葉書本体を得る接着剤を塗布しているため、所要の折り合わせと接着条件の付与で簡単に隠蔽情報を所持した葉書を作成することができる。また、この重ね合わせ葉書用シートを定形の規格サイズの用紙とすることで、汎用ページプリンタなどの静電式プリンタを用いて情報印字が行えるようにもなるなど、実用性に優れた効果を奏するものである。
【図面の簡単な説明】
【図１】本発明に係る重ね合わせ葉書の一例を示すもので、（イ）は一方の片面を示す説明図、（ロ）は他方の片面を示す説明図である。
【図２】重ね合わせ葉書を示す説明図である。
【図３】重ね合わせ葉書を図Ｃ−Ｃ線に沿った断面で示す説明図である。
【符号の説明】
１…重ね合わせ葉書用シート
２…分離部
３…貼着シート部  ３２，３３…重ね合わせ面
４…葉書本体シート部  ４０，４１，４２…重ね合わせ面
５，６…折り部
９…接着剤
１０…隠蔽情報記載部
１１…表出面
１２…葉書表示
１３…接着剤
１４…重ね合わせ葉書
【図１】
0003677714.tif 000002
【図２】
0003677714.tif 000003
【図３】
0003677714.tif 000004